(57)【要約】【課題】ＯＦＤＭ方式において、ピーク対平均電力比を効果的に低減する仕組みを提供する【解決手段】送信機は、第１の周波数帯域において送信されるＯＦＤＭ信号を生成する第１の生成部と、該第１の周波数帯域とは異なる第２の周波数帯域のキャリアを用いて送信される、該ＯＦＤＭ信号のピークを低減するためのキャンセル信号を生成する第２の生成部と、該ＯＦＤＭ信号と、該第２の生成部にて生成されたキャンセル信号とを加算し、加算後の信号を出力する加算部と、該加算部にて該出力される信号に逆フーリエ変換を行う逆フーリエ変換部を含む。【選択図】      図９
2016178364.tif 000002
【特許請求の範囲】
【請求項１】
第１の周波数帯域において送信されるＯＦＤＭ信号を生成する第１の生成部と、
前記第１の周波数帯域とは異なる第２の周波数帯域のキャリアを用いて送信される、前記ＯＦＤＭ信号のピークを低減するためのキャンセル信号を生成する第２の生成部と、
前記ＯＦＤＭ信号と、前記第２の生成部にて生成されたキャンセル信号とを加算し、加算後の信号を出力する加算部と、
前記加算部にて前記出力される信号に逆フーリエ変換を行う逆フーリエ変換部と、を含む、
送信機。
【請求項２】
前記キャンセル信号は、
スペクトラムマスクにより制限される所定の値に基づき、生成される、
請求項１記載の送信機。
【請求項３】
複数の前記加算部と、
複数の前記逆フーリエ変換部と、
選択部とを有し、
前記第２の生成部は、
複数の前記キャンセル信号を生成し、
前記複数の加算部の其々に、前記キャンセル信号を出力する、
前記複数の加算部の其々は、
入力する前記キャンセル信号を、前記ＯＦＤＭ信号に加算し、加算後の信号を、前記複数の逆フーリエ変換部の其々に、出力する、
前記逆フーリエ変換部は、
前記加算部にて前記出力される信号に逆フーリエ変換を行い、前記逆フーリエ変換された信号を、選択部に出力する、
前記選択部は、
前記複数の逆フーリエ変換部から、前記逆フーリエ変換された信号を複数入力し、
前記入力された複数の信号の中から、最もピークの少ない信号を選択する、
請求項１または２記載の送信機。
【請求項４】
前記逆フーリエ変換された信号を増幅する増幅器と、
前記増幅器にて増幅された信号に対して、スペクトラムマスクにより制限された所定の値を考慮した、周波数帯域の制限を行うバンドパスフィルタと、
を有する、
請求項１または３に記載の送信機
【請求項５】
前記キャンセル信号のキャリアは、前記第１の周波数帯域のキャリアによって生じたピーク波形を減衰させるために、用いられる
請求項１乃至４の何れか一項に記載の送信機。
【請求項６】
前記キャンセル信号のキャリアは、前記送信機から送信されるＯＦＤＭ変調信号を受信する受信機にて、用いられない、
請求項１乃至５の何れか一項に記載の送信機。
【請求項７】
送信機と受信機とを含む無線通信システムであって、
前記送信機は、
第１の周波数帯域において送信されるＯＦＤＭ信号を生成し、
前記第１の周波数帯域とは異なる第２の周波数帯域のキャリアを用いて送信される、前記ＯＦＤＭ信号のピークを低減するためのキャンセル信号を生成し、
前記ＯＦＤＭ信号と、前記生成されたキャンセル信号とを加算し、
加算後の信号を出力し、
前記加算後の信号に逆フーリエ変換を行う、
前記逆フーリエ変換に基づくＯＦＤＭ信号を、受信機に送信し、
前記受信機は、
前記ＯＦＤＭ信号を受信する、
無線通信システム。
【請求項８】
送信機の制御方法であって、
第１の周波数帯域において送信されるＯＦＤＭ信号を生成し、
前記第１の周波数帯域とは異なる第２の周波数帯域のキャリアを用いて送信される、前記ＯＦＤＭ信号のピークを低減するためのキャンセル信号を生成し、
前記ＯＦＤＭ信号と、前記生成されたキャンセル信号とを加算し、
加算後の信号を出力し、
前記加算後の信号に逆フーリエ変換を行う、
送信機の制御方法。
【請求項９】
送信機の制御方法をコンピュータに実行させるプログラムであって、
第１の周波数帯域において送信されるＯＦＤＭ信号を生成し、
前記第１の周波数帯域とは異なる第２の周波数帯域のキャリアを用いて送信される、前記ＯＦＤＭ信号のピークを低減するためのキャンセル信号を生成し、
前記ＯＦＤＭ信号と、前記生成されたキャンセル信号とを加算し、
加算後の信号を出力し、
前記加算後の信号に逆フーリエ変換を行うプロセスをコンピュータに実行させるプログラム。
【発明の詳細な説明】
【技術分野】
【０００１】
本開示は、送信機、無線通信システム、送信機の制御方法、プログラムに関する。
【背景技術】
【０００２】
テレビ放送等の無線方式に用いられるＯＦＤＭ（直交周波数分割多重）信号は、平均出力レベルに対して最大振幅が大きくなるという特性がある。すなわち、ピーク電力対平均電力比（ＰＡＰＲ：Peak to Average Power Ratio）が大きくなる。平均出力レベルに対する最大振幅の大きい信号を扱う信号増幅器は、そのダイナミックレンジを広くとる必要があるため、増幅器の電力効率が悪くなる。
【０００３】
そのため、増幅器の電力効率を上げるために、送信信号に関して一定以上のピークをクリップする必要がある。しかし、単純にクリップを行った場合、波形がひずんでしまうため、クリップ処理を行わなかった場合と比べ信号が劣化してしまう。
【０００４】
特許文献１には、このようなピークを低減させる技術として、Ｔｏｎｅ Ｒｅｓｅｒｖａｔｉｏｎという技術がある。
【０００５】
特許文献２の技術の目的は、ＯＦＤＭ方式の通信において、ＰＡＰＲを低減する処理を簡易化することにある。具体的には、通信機のＩＦＦＴ部がＩＦＦＴ（Ｉｎｖｅｒｓｅ Ｆａｓｔ Ｆｏｕｒｉｅｒ Ｔｒａｎｓｆｏｒｍ）を行って逆変換データを生成する。選択部が逆変換データに基づくベースバンド信号のＰＡＰＲを算出し、ＰＡＰＲが最も低い逆変換データを選択する。送信部は、逆変換データを合成してベースバンド信号を生成し、選択された逆変換データを生成する際に行った演算を特定するデータおよび該ベースバンド信号から送信信号を生成して、他の機器に送信信号を送信する。
【０００６】
特許文献３は、ＰＡＰＲを低減するシステムを開示している。バンドパスフィルタにて帯域外スペクトル成分が除去された信号は、所望のＲＦキャリア周波数にアップコンバートされ、増幅される。すなわち、増幅前にバンドパスフィルタによるフィルタリングが行われる。
【０００７】
なお、特許文献４の技術は、低ＳＮＲ域での推定精度を向上させる伝搬路推定に関する。特許文献４には、送信時にパイロットシンボルの信号帯域の両端に付加する補助パイロットサブキャリアの電力を低減する送信機を開示している。これに対して、受信機は、仮想サブキャリアを挿入して時間窓法を使用する伝搬路推定方法を行う。
【０００８】
非特許文献１には、ＰＡＰＲの低減手法として選択マッピング方式が開示されている。選択マッピング方式において、送信データに一定の法則を持つ信号を、掛け合わせて生成された複数の時系列信号の中からＰＡＰＲ値が低い信号が選択される。
【先行技術文献】
【特許文献】
【０００９】
【特許文献１】特開２０１２−５０９６４５公報
【特許文献２】特開２０１４−２０４２５２公報
【特許文献３】特表２００９−５１７８９０公報
【特許文献４】特開２００９−０５５４３０公報
【非特許文献】
【００１０】
【非特許文献１】IEEE Electronics Letters, Vol.32, Issue22, pp.2056-2057
【発明の概要】
【発明が解決しようとする課題】
【００１１】
しかし、例えば、特許文献１のＴｏｎｅ  Ｒｅｓｅｒｖａｔｉｏｎ手法では、データが送信される有効周波数帯域内に、ピークキャンセルを行うためのトーンキャリアを用意する必要がある。このため、トーンキャリアの分だけ伝送できるデータ量が少なくなる。
【００１２】
なお、特許文献２または３のＰＡＰＲを低減する技術は、ピークキャンセルを行うためにキャリアを挿入する方法とは全く異なる構成である。また、特許文献４の技術は、パイロットサブキャリアに変更を加えるものである。この変更は低ＳＮＲ域での推定精度の向上を目的としているため、送信側だけでなく受信側において仮想サブキャリアを挿入して時間窓法を使用する構成を必要としている。
【００１３】
そこで、例示的な実施形態の目的の１つは、ＯＦＤＭ方式において、ピーク対平均電力比を効果的に低減する仕組みを提供する事にある。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１４】
例示的な実施形態の送信機は、第１の周波数帯域において送信されるＯＦＤＭ信号を生成する第１の生成部と、前記第１の周波数帯域とは異なる第２の周波数帯域のキャリアを用いて送信される、前記ＯＦＤＭ信号のピークを低減するためのキャンセル信号を生成する第２の生成部と、前記ＯＦＤＭ信号と、前記第２の生成部にて生成されたキャンセル信号とを加算し、加算後の信号を出力する加算部と、前記加算部にて前記出力される信号に逆フーリエ変換を行う逆フーリエ変換部を含む。
【００１５】
他の例示的な実施形態の無線通信システムは、送信機と受信機とを含む。前記送信機は、第１の周波数帯域において送信されるＯＦＤＭ信号を生成し、前記第１の周波数帯域とは異なる第２の周波数帯域のキャリアを用いて送信される、前記ＯＦＤＭ信号のピークを低減するためのキャンセル信号を生成し、前記ＯＦＤＭ信号と、前記生成されたキャンセル信号とを加算し、加算後の信号を出力し、前記加算後の信号に逆フーリエ変換を行い、前記逆フーリエ変換に基づくＯＦＤＭ信号を、受信機に送信する。前記受信機は、前記ＯＦＤＭ信号を受信する。
【００１６】
他の例示的な実施形態の送信機の制御方法は、第１の周波数帯域において送信されるＯＦＤＭ信号を生成し、前記第１の周波数帯域とは異なる第２の周波数帯域のキャリアを用いて送信される、前記ＯＦＤＭ信号のピークを低減するためのキャンセル信号を生成し、前記ＯＦＤＭ信号と、前記生成されたキャンセル信号とを加算し、加算後の信号を出力し、前記加算後の信号に逆フーリエ変換を行う。
【００１７】
他の例示的な実施形態におけるプログラムは、第１の周波数帯域において送信されるＯＦＤＭ信号を生成し、前記第１の周波数帯域とは異なる第２の周波数帯域のキャリアを用いて送信される、前記ＯＦＤＭ信号のピークを低減するためのキャンセル信号を生成し、前記ＯＦＤＭ信号と、前記生成されたキャンセル信号とを加算し、加算後の信号を出力し、前記加算後の信号に逆フーリエ変換を行う送信機の制御方法をコンピュータに実行させる。
【発明の効果】
【００１８】
例示的な実施形態によれば、ＯＦＤＭ方式において、ピーク対平均電力比を効果的に低減できる。
【図面の簡単な説明】
【００１９】
【図１】例示的な実施形態に関連するトーンリザベーション回路の構成を示す。
【図２】例示的な実施形態に関連する選択マッピング方式に関する構成を示す。
【図３】第１の例示的な実施形態の送信機を示す。
【図４】第１の例示的な実施形態の信号ａの周波数軸波形を示す。
【図５】第１の例示的な実施形態の信号nの周波数軸波形を示す。
【図６】第１の例示的な実施形態の信号Snの周波数軸波形を示す。
【図７】第１の例示的な実施形態の信号ａと信号Snを足し合わせた状態の周波数軸波形を示す。
【図８】第２の例示的な実施形態の送信機を示す。
【図９】第３の例示的な実施形態の送信機を示す。
【図１０】第４の例示的な実施形態の無線通信システムを示す。
【発明を実施するための形態】
【００２０】
以下では、具体的な実施形態について、図面を参照しながら詳細に説明する。各図面において、同一又は対応する要素には同一の符号が付されており、説明の明確化のため、必要に応じて重複説明は省略される。
【００２１】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００２２】
＜はじめに＞
図１は、例示的な実施形態に関連するトーンリザベーション回路の構成を示す。
図１において、入力されたＯＦＤＭ変調信号を周波数変換部１１おいてＩＦＦＴ処理した時間軸波形に対して、ピーク検出部１４はピークを検出する。
【００２３】
キャンセルレベル算出部１５は、検出されたピークのレベルが閾値に対してどれだけ高いか（＝キャンセルレベルの値）を算出する。
【００２４】
波形シフト量算出部１６は、検出されたピークの位置を基に、検出されたピークにキャンセル波形のピークを合わせるためのシフト量を算出する。
【００２５】
信号シフト部１７は、キャンセルベース信号を周波数変換部１９でＩＦＦＴ処理して作成された時間軸波形を入力とし、波形シフト量算出部１６の算出結果を用いて、周波数変換部１９の出力波形のピークの位置をＯＦＤＭ変調信号の時間波形のピークの位置へあわせる。この際、波形は巡回的にシフトされる。
【００２６】
信号シフト部１７の出力とキャンセルレベル算出部１５の出力との複素乗算が乗算器１８にて行われる。
【００２７】
加算器１３において、乗算器１８の出力を、元のＯＦＤＭ変調信号の時間波形をピーク検出部１４から乗算器１８までの処理分だけ遅延させるメモリ１２の出力と加算することでピークを低減する。
【００２８】
図２は、例示的な実施形態に関連する選択マッピング方式に関する構成を示す。
【００２９】
図２によれば、乗算器において、送信データが送信される有効周波数内の送信キャリアに、固定の疑似ランダム信号が重畳（掛け合わ）される。複数の乗算器からの出力をＩＦＦＴし、ＩＦＦＴの処理がされた信号の中から、ＰＡＰＲの値が低い信号を選択する。
【００３０】
＜第１の例示的な実施形態＞
図３は、第１の例示的な実施形態の送信機を示す。
図３において、本実施形態の送信機は、符号化部３１と、インターリーバ部３２と、ＱＡＭ（Quadrature Amplitude Modulation）マッピング部３３と、Ｓ／Ｐ（シリアル／パラレル）変換部３４と、少なくとも一つのＩＦＦＴ部３５と、選択部３６と、ＣＰ（サイクリックプレフィックス）部３７と、帯域外キャリア用ランダム信号生成部４０と、スペクトラムマスク制限部４１と、少なくとも一つの加算部４２とを含む。
【００３１】
入力される送信データに対して、符号化部３１、インターリーバ部３２、ＱＡＭマッピング部３３、Ｓ／Ｐ変換部３４、加算部４２、ＩＦＦＴ部３５、選択部３６、ＣＰ部３７にて各種処理が行われる。
【００３２】
また、加算部４２に加算される信号は、帯域外キャリア用ランダム信号生成部４０及びスペクトラムマスク制限部４１における処理に基づき、生成される。
【００３３】
符号化部３１は、入力された送信データを符号化する。
【００３４】
インターリーバ部３２は、符号化されたデータ信号に対して、インタリーブ（ビットの並べ替え）処理を行う。
【００３５】
ＱＡＭマッピング部３３は、インタリーブがなされたデータ信号を、サブキャリアの位相と振幅で決まる信号点にマッピング（対応づけ）を行う。例えば、位相変調と振幅変調とを組み合わせてより多くの情報を１つのシンボルで伝送するＱＡＭに基づくマッピングが行われる。
【００３６】
Ｓ／Ｐ変換部３４は、マッピングがなされたデータ信号を、パラレル変換し出力する。ここでは、Ｓ／Ｐ変換部３４は、複数の加算部４２に対して、マッピングされたデータ信号を出力する。図３において、Ｓ／Ｐ変換部３４から出力されたデータ信号（周波数領域のＯＦＤＭ信号）は、記号「ａ」として示される。この信号「ａ」の一例が、図４に示される。図４において、ＯＦＤＭ信号が送信される帯域に含まれるキャリア数は、送信規格により予め決定されているものとする。
【００３７】
帯域外キャリア用ランダム信号生成部４０（以下、生成部４０ともいう）は、ＯＦＤＭ信号（送信データ）が送信される周波数帯域以外のキャリア用のランダム信号を生成する。
【００３８】
具体的には、生成部４０は、帯域外部分にランダムで作成したキャリアを配置したデータを作成する。この作成されたデータは、図３において、記号「ｎ（ｉ）」で示される。また、図５には、このデータの一例が、簡略化された周波数軸波形の形で示される。例えば、本実施形態のように、ＰＡＰＲ低減のために選択マッピング方式が用いられる場合、データｎは用意したＩＦＦＴ回路分用意する。図３において、ＩＦＦＴ回路はｍ個用意されているため、信号ｎは、ｍ個出力される。
【００３９】
スペクトラムマスク制限部４１は、生成部４０にて作成されたデータｎに対して、帯域外スプリアス制限にかからないよう制限をかけた信号Ｓｎを作成する。この処理により、データｎに対して、必要周波数帯外における周波数の電波の発射に関するレベルが、所定値より小さく抑えられる。図６には、この信号Ｓｎの一例が、簡略化された周波数軸波形の形で示される。このように、本実施形態において、送信規格において定められたスペクトラムマスクを制限条件として加え、ＰＡＰＲを低減するための信号（データ）を生成している。
【００４０】
加算部４２は、Ｓ／Ｐ変換部３４の出力信号と、スペクトラムマスク制限部４１の出力信号とを加算する。具体的には、データ信号ａと、信号Ｓｎとを加算することによって、信号「ａ’」を作成する。複数の信号ａまたは信号Snが存在する場合は、其々に対応する加算部にて同様の処理が行われる。
【００４１】
なお、図７には、この信号Ｓｎの一例が、簡略化された周波数軸波形の形で示される。図７において、左から６番目のキャリアと、右側から６番目のキャリアの振幅がゼロ（実質的にゼロを含む）になるような具体例を示した。これは、図４の送信キャリアと、加算したキャリアとの間を空けることで、受信機が、加算されたキャリアを容易に認識することができる。
【００４２】
なお、図３において、Ｓｎ（１）からＳｎ（ｍ）が図示されている。これらの値は、帯域外キャリア用ランダム信号生成部４０によって生成されたランダム信号に基づいている。
【００４３】
なお、図２において、送信キャリアを含めてランダム信号を重畳するために、Ｓ／Ｐ変換部の出力信号と固定疑似ランダム信号の出力信号とを重畳する乗算器が示された。一方、図３では、送信キャリアとは異なるキャリアにランダム信号から生成したキャリアを加算するため、加算部４２が示される。
【００４４】
ＩＦＦＴ部３５は、加算部４２の加算後の周波数領域のＯＦＤＭ信号に対して、高速逆フーリエ変換を行い、時間領域のＯＦＤＭ信号を生成する。
【００４５】
選択部３６は、ＩＦＦＴ部３５から入力した複数のＯＦＤＭ信号の中から、もっともピークの少ない系を選択する。選択されたＯＦＤＭ信号は、ＣＰ部３７に出力される。
【００４６】
ＣＰ部３７は、選択部３６から選択されたＯＦＤＭ信号を入力する。ＣＰ部３７は、入力したＯＦＤＭ信号に、ガードインターバル（ＧＩ）を挿入する。
【００４７】
ＣＰ部３７から出力された信号に所定の処理が施され、送信機から受信器に対して、ＯＦＤＭ変調信号が送信される。受信機は、送信機とは逆の処理を行い、元のデータを取り出す（復調）処理を行う。
【００４８】
本実施形態によれば、ＯＦＤＭ信号が送信される周波数帯域以外のキャリアを用いることによって、実際の送信帯域のキャリアを使用することなくＰＡＰＲを行うことが可能となる。すなわち、送信帯域のキャリアを減らすことによって、送信される有効データが減らされることを防ぐことができる。
【００４９】
また、ＯＦＤＭ信号を時間波形にした際のピークを落とすためのピークキャンセル目的のキャリアが用いられる。このキャリアは、例えば、パイロットキャリアのように受信側で用いられない。また、このキャリアはデータ伝送にも用いられない。このため、受信機側の追加の回路等の構成を新たに設ける必要がなく、ＯＦＤＭ信号のピークを低減できる。
【００５０】
例えば、送信データの周波数帯域が定められている等の仕様（規格）に基づく無線通信システムを構成する送信機及び受信機において、当該仕様の変更を行わず、容易に送信信号のピーク低減が実現できる。
【００５１】
つまり、仕様の変更または受信側の変更を行わずにピーク低減が実現することにより、送信機の電力効率を向上させることができる。
【００５２】
上述のとおり、作成した帯域外キャリアの値が異なる複数のデータを生成し、生成された複数のデータに対してＩＦＦＴが実施される。この結果、もっともＰＡＰＲの低いデータを送信波形として用いることができる。
【００５３】
＜第２の例示的な実施形態＞
第１の例示的な実施形態は、選択式マッピング法を用いた例が示された。例示的な実施形態では、他のピーク低減手法が用いられてもよい。例えば、Ｔｏｎｅ  Ｒｅｓｅｒｖａｔｉｏｎやその他のＰＡＰＲ低減手法が用いられてもよい。
【００５４】
図８は、第２の例示的な実施形態の送信機の一部を示す。
【００５５】
本実施形態において、ＩＦＦＴ部５０によって生成されたＯＦＤＭ信号に基づく信号を入力する増幅器５１の後段に、フィルタ５２を設ける。フィルタ５２は、例えば、バンドパスフィルタ（ＢＰＦ）で構成される。フィルタ５２は、上述したスペクトラムマスク制限部４１のようにスペクトラムマスクを満足する。なお、本実施形態では、例示的な第１の実施形態におけるスペクトラムマスク制限部４１の代わりに、フィルタ５２が用いられる。
【００５６】
＜第３の例示的な実施形態＞
図９は、第３の例示的な実施形態の送信機を示す。
図９の送信機は、第１の生成部１０１、第２の生成部１０２、加算部１０３、逆フーリエ変換部１０４を有する。
【００５７】
第１の生成部１０１は、第１の周波数帯域において送信されるＯＦＤＭ信号を生成する。
【００５８】
第２の生成部１０２は、第１の周波数帯域とは異なる第２の周波数帯域のキャリアを用いて送信される、ＯＦＤＭ信号のピークを低減するためのキャンセル信号を生成する。
【００５９】
加算部１０３は、ＯＦＤＭ信号と、第２の生成部にて生成されたキャンセル信号とを加算し、加算後の信号を出力する。
【００６０】
逆フーリエ変換部１０４は、加算部にて出力される信号に逆フーリエ変換を行う。逆フーリエ変換部１０４は、逆フーリエ変換された信号を出力する。
【００６１】
本実施形態によれば、ＯＦＤＭ方式において、ピーク対平均電力比を効果的に低減できる。
【００６２】
＜第４の例示的な実施形態＞
図１０は、第４の例示的な実施形態の無線通信システムを示す。
図１０において、本実施形態の無線通信システムは、送信機２００と、受信機３００とを含む。
【００６３】
本実施形態の送信機２００は、図９に示す第３の例示的な実施形態の送信機に相当する。送信機は、逆フーリエ変換に基づくＯＦＤＭ信号を、受信機に送信する。受信機は、このＯＦＤＭ信号を受信する。
【００６４】
本実施形態によれば、ＯＦＤＭ方式において、ピーク対平均電力比を効果的に低減できる。
【００６５】
＜他の例示的な実施形態＞
上述した例示的な実施形態は、テレビ送信機などに用いられるＯＦＤＭ信号時間軸波形（ＩＦＦＴの後の波形）のピークを低減させるための手法に用いることができる。
【００６６】
また、上述の処理内容を手順として記述したコンピュータプログラム（以下、プログラムと称する）を、送信機を構成する要素のそれぞれにて読取可能な記録媒体に記録し、この記録媒体に記録されたプログラムが送信機の各構成要素それぞれに読み込まれ、実行されるものであっても良い。
【００６７】
この記録媒体に記録されたプログラムは、送信機の各構成要素それぞれに設けられたCentral Processing Unit (CPU)にて読み込まれ、CPUの制御によって、上述したものと同様の処理が行われる。ここで、CPUは、プログラムが記録された記録媒体から読み込まれたプログラムを実行するコンピュータとして動作するものである。
【００６８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ（Recordable）、ＣＤ−Ｒ／Ｗ（ReWritable）、Digital Versatile Disk (DVD)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６９】
周波数変換部  １１
メモリ  １２
加算器  １３
ピーク検出部  １４
キャンセルレベル算出部  １５
波形シフト量算出部  １６
信号シフト部  １７
乗算部  １８
周波数変換部  １９
符号化部  ３１
インターリーバ部  ３２
ＱＡＭマッピング部  ３３
Ｓ／Ｐ変換部  ３４
ＩＦＦＴ部  ３５
選択部  ３６
ＣＰ部  ３７
帯域外キャリア用ランダム信号生成部  ４０
スペクトラムマスク制限部  ４１
加算部  ４２
ＩＦＦＴ部  ５０
増幅器  ５１
フィルタ  ５２
第１の生成部  １０１
第２の生成部  １０２
加算部  １０３
逆フーリエ変換部  １０４
送信機  ２００
受信機  ３００
【図１】
2016178364.tif 000003
【図２】
2016178364.tif 000004
【図３】
2016178364.tif 000005
【図４】
2016178364.tif 000006
【図５】
2016178364.tif 000007
【図６】
2016178364.tif 000008
【図７】
2016178364.tif 000009
【図８】
2016178364.tif 000010
【図９】
2016178364.tif 000011
【図１０】
2016178364.tif 000012